(57)【要約】      （修正有）【課題】塵芥の堆積により排水性を損うことがない流し台の塵芥容器を提供する。【解決手段】流し台２０の排水口２２に連接された凹部２１に取り外し可能にはめ込まれる塵芥容器１０は、上面に開口４１を有し、少なくとも底面３２に通水性を有する排水溝３２ａを備えた浅形で箱形の容器本体３０からなる。底面３２が凹部２１の底面に対して排水口２２に向かって下り傾斜している。また、容器本体３０の側面の一部には、開閉可能な開閉扉５０を設けても良い。【選択図】図１
2011032728.tif 000002
【特許請求の範囲】
【請求項１】
流し台の排水口に連接された凹部に取り外し可能にはめ込まれる塵芥容器であって、
上面に開口を有し、少なくとも底面に通水性を有する排水溝を備えた浅形で箱形の容器本体からなり、
前記底面が前記凹部の底面に対して前記排水口に向かって下り傾斜していることを特徴とする塵芥容器。
【請求項２】
請求項１に記載の塵芥容器であって、
前記容器本体の側面の一部には、開閉可能な開閉扉を設けていることを特徴とする塵芥容器。
【請求項３】
請求項１又は請求項２に記載の塵芥容器であって、
前記容器本体の外側面と前記凹部の内側面との間には、隙間を有していることを特徴とする塵芥容器。
【請求項４】
請求項２に記載の塵芥容器であって、
前記容器本体には、前記開閉扉の開閉を行うための操作部材を設けていることを特徴とする塵芥容器。
【請求項５】
流し台の排水口に連接された凹部に取り外し可能にはめ込まれる塵芥容器であって、
上面に開口を有し、少なくとも底面に通水性を有する排水溝を備えた箱形の容器本体からなり、
前記底面が前記開口から前記排水口に向かって螺旋状に屈曲して下り傾斜していることを特徴とする塵芥容器。
【発明の詳細な説明】
【技術分野】
【０００１】
この発明は、例えばキッチン用の流し台の塵芥容器に関し、塵芥の堆積により排水性を損うことがないようにしたものである。
【背景技術】
【０００２】
従来、厨芥容器の底部は浅い盆形とし、一時的に排水が滞留するように粗い間隔で直径約１mmの小孔を５０〜６０程度穿っていたものが知られている（例えば特許文献１の段落番号「０００６」、図１、図２及び図４参照）。
【先行技術文献】
【特許文献】
【０００３】
【特許文献１】特開2002-70105号公報
【発明の概要】
【発明が解決しようとする課題】
【０００４】
しかし、上記した従来の厨芥容器では、その底部に塵芥が堆積すると、塵芥により小孔が塞がれ、排水性が低下するおそれがあったという問題点があった。
そこで、各請求項にそれぞれ記載された各発明は、上記した従来の技術の有する問題点に鑑みてなされたものであり、その目的とするところは、次の点にある。
（請求項１）
請求項１に記載の発明は、次の点を目的とする。
【０００５】
すなわち、請求項１に記載の発明は、塵芥容器の底面を排水口に向かって下り傾斜させることで、塵芥の堆積により排水性を損うことがないようにしたものである。
請求項１に記載の発明によれば、塵芥容器の底面を傾斜させることにより、排水が底面の下り傾斜に沿って流下し、その流下途中で底面の排水溝により徐々に排水される。
このため、請求項１に記載の発明によれば、底面の排水溝の全体を使用して排水できるので、塵芥の堆積により排水性の低下を防止できる。
【０００６】
また、請求項１に記載の発明によれば、排水が底面の下り傾斜に沿って流下する際に、塵芥も傾斜下端部に向かって押し流される。
このため、請求項１に記載の発明によれば、底面の傾斜途中に塵芥が堆積して、排水溝を目詰まりさせるのを防止することができる。
（請求項２）
請求項２に記載の発明は、上記した請求項１に記載の発明の目的に加え、次の点を目的とする。
【０００７】
すなわち、請求項２に記載の発明は、開閉扉を開放させることで、塵芥を廃棄することができるようにしたものである。
請求項２に記載の発明によれば、塵芥容器の底面が傾斜していることから、塵芥は傾斜下端部に押し流され、当該傾斜下端部に堆積する。
このため、請求項２に記載の発明によれば、堆積した塵芥を、開閉扉を開放させた際に開放される容器本体の側面を通して、一括して廃棄することができる。
（請求項３）
請求項３に記載の発明は、上記した請求項１又は請求項２に記載の発明の目的に加え、次の点を目的とする。
【０００８】
すなわち、請求項３に記載の発明は、容器本体の外側面と凹部の内側面との間に隙間を有していることから、当該隙間を通して効率的に排水を行うことができるようにしたものである。
（請求項４）
請求項４に記載の発明は、上記した請求項２に記載の発明の目的に加え、次の点を目的とする。
【０００９】
すなわち、請求項４に記載の発明は、操作部材を操作することで、開閉扉を簡便に開閉することができるようにしたものである。
（請求項５）
請求項５に記載の発明は、次の点を目的とする。
すなわち、請求項５に記載の発明は、請求項１に記載の発明と同様に、塵芥容器の底面を排水口に向かって下り傾斜させることで、塵芥の堆積により排水性を損うことがないようにしたものである。
【００１０】
これに加えて、請求項５に記載の発明は、底面を開口から排水口に向かって螺旋状に屈曲して下り傾斜させることで、塵芥容器の排水の効率を向上することができるようにしたものである。
請求項５に記載の発明によれば、開口から排水口迄の直線距離が短い場合にも、底面を螺旋状に屈曲させることで、開口から排水口迄の距離を実質的に延長することができる。
【課題を解決するための手段】
【００１１】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
（請求項１）
請求項１に記載の発明は、次の点を特徴とする。
【００１２】
第１に、例えば図１及び図２に示すように、流し台(20)の排水口(22)に連接された凹部(21)に取り外し可能にはめ込まれる塵芥容器(10)である。
第２に、塵芥容器(10)は、例えば図３に示すように、上面に開口(41)を有し、少なくとも底面（例えば底壁32）に通水性を有する排水溝(32a)を備えた浅形で箱形の容器本体(30)からなる。
【００１３】
第３に、例えば図１に示すように、底面（例えば底壁32）が凹部(21)の底面に対して排水口(22)に向かって下り傾斜している。
（請求項２）
請求項２に記載の発明は、上記した請求項１に記載の発明の特徴点に加え、次の点を特徴とする。
【００１４】
すなわち、容器本体(30)の側面の一部には、例えば図５及び図７に示すように、開閉可能な開閉扉(50)を設けている。
（請求項３）
請求項３に記載の発明は、上記した請求項１又は請求項２に記載の発明の特徴点に加え、次の点を特徴とする。
【００１５】
すなわち、容器本体(30)の外側面（例えば側壁33）と凹部(21)の内側面との間には、例えば図６に示すように、隙間(70)を有している。
（請求項４）
請求項４に記載の発明は、上記した請求項２に記載の発明の特徴点に加え、次の点を特徴とする。
【００１６】
すなわち、容器本体(30)には、例えば図３、図５及び図７に示すように、開閉扉(50)の開閉を行うための操作部材(60)を設けている。
（請求項５）
請求項５に記載の発明は、次の点を特徴とする。
第１に、例えば図８及び図９に示すように、流し台（図示せず）の排水口(22)に連接された凹部（図示せず）に取り外し可能にはめ込まれる塵芥容器(100)である。
【００１７】
第２に、塵芥容器(100)は、例えば図８及び図９に示すように、上面に開口(121)を有し、少なくとも底面（例えば排水路130）に通水性を有する排水溝(131)を備えた箱形の容器本体(110)からなる。
第３に、例えば図８及び図９に示すように、底面（例えば排水路130）が開口(121)から排水口(22)に向かって螺旋状に屈曲して下り傾斜している。
【発明の効果】
【００１８】
本発明は、以上のように構成されているので、以下に記載されるような効果を奏する。
（請求項１）
請求項１に記載の発明によれば、次のような効果を奏する。
すなわち、請求項１に記載の発明によれば、塵芥容器の底面を排水口に向かって下り傾斜させることで、塵芥の堆積により排水性を損うことがないようにしたものである。
【００１９】
請求項１に記載の発明によれば、塵芥容器の底面を傾斜させることにより、排水が底面の下り傾斜に沿って流下し、その流下途中で底面の排水溝により徐々に排水される。
このため、請求項１に記載の発明によれば、底面の排水溝の全体を使用して排水できるので、塵芥の堆積により排水性の低下を防止できる。
また、請求項１に記載の発明によれば、排水が底面の下り傾斜に沿って流下する際に、塵芥も傾斜下端部に向かって押し流される。
【００２０】
このため、請求項１に記載の発明によれば、底面の傾斜途中に塵芥が堆積して、排水溝を目詰まりさせるのを防止することができる。
（請求項２）
請求項２に記載の発明によれば、上記した請求項１に記載の発明の効果に加え、次のような効果を奏する。
【００２１】
すなわち、請求項２に記載の発明によれば、開閉扉を開放させることで、塵芥を廃棄することができる。
請求項２に記載の発明によれば、塵芥容器の底面が傾斜していることから、塵芥は傾斜下端部に押し流され、当該傾斜下端部に堆積する。
このため、請求項２に記載の発明によれば、堆積した塵芥を、開閉扉を開放させた際に開放される容器本体の側面を通して、一括して廃棄することができる。
（請求項３）
請求項３に記載の発明によれば、上記した請求項１又は請求項２に記載の発明の効果に加え、次のような効果を奏する。
【００２２】
すなわち、請求項３に記載の発明によれば、容器本体の外側面と凹部の内側面との間に隙間を有していることから、当該隙間を通して効率的に排水を行うことができる。
（請求項４）
請求項４に記載の発明によれば、上記した請求項２に記載の発明の効果に加え、次のような効果を奏する。
【００２３】
すなわち、請求項４に記載の発明によれば、操作部材を操作することで、開閉扉を簡便に開閉することができる。
（請求項５）
請求項５に記載の発明によれば、次のような効果を奏する。
すなわち、請求項５に記載の発明によれば、請求項１に記載の発明と同様に、塵芥容器の底面を排水口に向かって下り傾斜させることで、塵芥の堆積により排水性を損うことがないようにしたものである。
【００２４】
これに加えて、請求項５に記載の発明によれば、底面を開口から排水口に向かって螺旋状に屈曲して下り傾斜させることで、塵芥容器の排水の効率を向上することができる。
請求項５に記載の発明によれば、開口から排水口迄の直線距離が短い場合にも、底面を螺旋状に屈曲させることで、開口から排水口迄の距離を実質的に延長することができる。
【図面の簡単な説明】
【００２５】
【図１】使用状態の断面図である。
【図２】流し台に取り付ける際の塵芥容器の斜視図である。
【図３】塵芥容器の分解斜視図である。
【図４】塵芥容器の平面図である。
【図５】図４のＡ−Ａ線に沿う断面図である。
【図６】図４のＢ−Ｂ線に沿う断面図である。
【図７】図５に対応し、開閉扉を開放した塵芥容器の側面図である。
【図８】本発明の第２の実施の形態を示し、同図は塵芥容器の斜視図である。
【図９】塵芥容器の分解斜視図である。
【発明を実施するための形態】
【００２６】
図２中、10は、塵芥容器を示し、塵芥容器10はキッチン用の流し台20に載置して使用する。
流し台20には、図２に示すように、塵芥容器10がはまり込む凹部21が設けられ、凹部21の底面には、排水口22が設けられている。凹部21は、平面が長方形に形成され、深さが浅く形成されている。凹部21の深さを浅く形成することで、図示しないが、流し台20の下側に引出し等を配置し、有効に活用できるようにしている。
【００２７】
排水口22は、凹部21の長手方向の片側に寄せて設けている。
塵芥容器10は、図３に示すように、大別すると、次のパーツを備える。
なお、次の（１）〜（４）については後述する。
（１）容器本体30
（２）蓋体40
（３）開閉扉50
（４）操作部材60
なお、塵芥容器10のパーツは、上記した（１）〜（４）に限定されない。
（容器本体30）
容器本体30は、図３に示すように、浅形で箱形に形成され、少なくとも底面に通水性を有する底側排水溝32aを備えている。容器本体30の底面は、図１に示すように、凹部21の底面に対して排水口22に向かって下り傾斜させている。容器本体30の外側面と凹部21の内側面との間には、図６に示すように、隙間70を有している。
【００２８】
具体的には、容器本体30は、図３に示すように、平面が長方形に形成され、上面、及び長手方向の一方の側面、すなわち前面31が開放している。容器本体30は、平面が長方形に形成された底壁32と、底壁32の短手方向の左右両側から立ち上がる左右一対の側壁33と、底壁32の長手方向の他方の側面、すなわち後面を塞ぐ後壁34とから形成されている。容器本体30は、適度な剛性を有する合成樹脂で一体的に形成されている。
【００２９】
なお、容器本体30を、合成樹脂製としたが、これに限定されず、ステンレスや銅等の金属製としても良い。
底壁32には、図３に示すように、上下に貫通したメッシュ状の底側排水溝32aを形成している。
なお、底側排水溝32aを、メッシュ状に形成したが、これに限定されず、網目状や穴状に形成しても良い。
【００３０】
底壁32には、図１に示すように、その前縁部に凹部21の底面に向かって下方に短く延びた前脚35を形成し、反対側の後縁部に下方に長く延びた後脚36を設けている。このため、前脚35及び後脚36を凹部21の底面に載置した際に、前面31側が低く、後壁34側が高くなり、底壁32は、前面31側に向かって下り傾斜する。
左右の側壁33にも、図３に示すように、底側排水溝32aと同様に、内外に貫通したメッシュ状のサイド側排水溝33aを形成している。左右の側壁33の互いに背向する外側面の間隔は、凹部21の短手方向の横幅より短く設定している。このため、容器本体30を、図６に示すように、凹部21内に載置したときに、凹部21の内側面との間に、隙間70が発生するようにしている。
（蓋体40）
蓋体40は、図１〜６に示すように、容器本体30の開放上面に取り付けられ、当該開放上面を塞ぐものである。蓋体40には、上下に貫通した開口41を設けている。
【００３１】
具体的には、蓋体40は、流し台20の凹部21の開口上面に適合し、平面が長方形を成し、板状に形成されている。蓋体40は、容器本体30と同様に、適度な剛性を有する合成樹脂で一体的に形成されている。
開口41は、蓋体40の長手方向の一方の端部、すなわち容器本体30の後壁34が位置する側に形成され、蓋体40の短手方向に長く延びる長方形に形成されている。
【００３２】
なお、開口41を、長方形に形成したが、これに限定されず、正方形、それ以外の多角形、円形、楕円形等に形成しても良い。また、開口41を開口させているが、これに限定されず、未使用時に開口41を閉塞する排水蓋を取り付けたり、或いはフラップの有る排水蓋を取り付けるようにしても良い。
蓋体40の裏面には、図３に示すように、容器本体30の開口上面にはまり込むリブ42を設けている。リブ42は、蓋体40を容器本体30の開口上面に保持するものである。リブ42は、蓋体40の短手方向の両側に一対位置し、長手方向に沿って長く延びている。一対のリブ42の背向する外側面の間の距離は、容器本体30の左右の側壁33の対向間隔に一致させている。
【００３３】
リブ42の長さの途中には、相対向して内向きに断面Ｌ字形に屈曲したガイド片43を設けている。ガイド片43は、後述する操作部材60を支持するためのものである。
（開閉扉50）
開閉扉50は、図３、図５及び図７に示すように、容器本体30の開放した前面31を開閉可能なものである。
【００３４】
具体的には、開閉扉50は、その上端部が支持軸51により左右の側壁33の間に回転可能に支持されている。支持軸51には、一対のばね52が通され、当該ばね52のばね力により、開閉扉50を閉方向に付勢している。
また、開閉扉50の内面には、後述する操作部材60を連結するための一対の軸受部53を設けている。
【００３５】
なお、開閉扉50を回転式としたが、これに限定されず、スライド式としても良い。また、回転扉50の上端部を回転可能に支持したが、これに限定されず、一側端部や下端部を回転可能に支持しても良い。
（操作部材60）
操作部材60は、図３、図５及び図７に示すように、開閉扉50の開閉を行うためのものである。
【００３６】
具体的には、操作部材60は、金属製の棒状材を略コ字形に折り曲げて形成している。一対の自由端部を互いに内向きにＬ字形に折り曲げて一対の連結軸61,61を形成している。各連結軸61は、開閉扉50の軸受部53にそれぞれはめ込まれ、開閉扉50と操作部材60とを回転可能に連結する。
また、操作部材60の基端部には、蓋体40の開口41に向かって上方にＬ字形に折り曲げて操作部62を形成している。
【００３７】
操作部材60は、図５及び図６に示すように、一対の連結軸61を開閉扉50の軸受部53にそれぞれはめ込み、その長さの途中を蓋体40の一対のガイド片43にそれぞれ載置することで取り付ける。この取付状態においては、操作部62が開口41に臨む。
（使用方法）
つぎに、上記した構成を有する塵芥容器10の使用方法について説明する。
【００３８】
組み立てた状態の塵芥容器10は、図１に示すように、流し台20の凹部21にはめ込んで使用する。このとき、凹部21の排水口22側に、容器本体30の開放した前面31を位置させる。これにより、容器本体30の底壁32が、凹部21の排水口22に向かって下り傾斜する。
塵芥容器10を凹部21にはめ込むと、その蓋体40の上面が凹部21の開口した上面と面一となる。すなわち、凹部21の無い流し台20の底と、蓋体40の上面とが面一となる。
【００３９】
使用時には、水は、塵芥容器10の開口41から内部に流入し、底壁32の傾斜に沿って下方に向かって流れ、その途中で底側排水溝32aや、側壁33のサイド側排水溝33aを通って流れ出て、最終的には排水口22を通って排水される。
また、図示しないが、塵芥も、開口41を通って塵芥容器10内に流入し、底壁32に堆積する。堆積した塵芥は、水とともに底壁32の傾斜下端部に向かって押し流される。その途中で、塵芥に含まれる水が底側排水溝32aや、側壁33のサイド側排水溝33aを通って流れ出る。
【００４０】
塵芥は、底壁32の傾斜下端部、すなわち、閉じた開閉扉50の裏側に堆積する。
堆積した塵芥を廃棄するには、凹部21から塵芥容器10を取り出し、開口41から臨む操作部材60を、開閉扉50側にスライドさせる。操作部材60をスライドさせると、図７に示すように、前面31が開放され、開放された前面31から塵芥を廃棄することができる。
操作部材60をスライドさせる力を開放すると、ばね52のばね力により、図５に示すように、開閉扉50が閉じる。
【００４１】
なお、開閉扉50を開放させて塵芥を廃棄したが、蓋体40を取り外して、容器本体30の上面を開放して塵芥を廃棄しても良い。
（第２の実施の形態）
つぎに、図８及び図９を用いて、本発明の第２の実施の形態について説明する。
本実施の形態の特徴は、図８及び図９に示すように、排水路130の底面を開口121から排水口22に向かって螺旋状に屈曲して下り傾斜させている点にある。
【００４２】
すなわち、塵芥容器100は、図８及び図９に示すように、大別すると、次のパーツを備える。なお、塵芥容器100のパーツは、次の（１）〜（４）に限定されない。
（１）容器本体110
容器本体110は、図示しないが、流し台の凹部にはまり込むのであり、図８及び図９に示すように、中空の円筒形に形成されている。容器本体110の上面は、開放し、下面は底が有り、排水口22に接続されている。
【００４３】
なお、容器本体110を、円筒形に形成したが、これに限定されず、角筒形や、或いは箱形に形成しても良い。
（２）蓋体120
蓋体120は、図８及び図９に示すように、容器本体110の開放上面に取り付けられ、当該開放上面を塞ぐものである。蓋体120には、上下に貫通した開口121を設けている。
【００４４】
具体的には、蓋体120は、容器本体110の開放上面に適合した円盤形に形成されている。開口部121は、円形の１／４の大きさの扇形に形成されている。
なお、蓋体120を円盤形に形成したが、これに限定されず、容器本体110の開放上面に適合していれば良い。また、開口部121を、扇形に形成したが、これに限定されず、円形や方形に形成しても良い。さらに、開口121を開口させているが、これに限定されず、未使用時に開口121を閉塞する排水蓋を取り付けたり、或いはフラップの有る排水蓋を取り付けるようにしても良い。
【００４５】
（３）排水路130
排水路130は、図８及び図９に示すように、容器本体110の中空内部に配置され、その底面が開口121から排水口22に向かって螺旋状に屈曲して下り傾斜している。
排水路130の底面には、上下に貫通したメッシュ状の排水溝131を形成している。
なお、排水溝131を、メッシュ状に形成したが、これに限定されず、網目状や穴状に形成しても良い。
【００４６】
（４）回収容器140
回収容器140は、容器本体110の中空内部であり、且つ排水路130の傾斜下端部に取り付けられ、塵芥を回収するためのものある。
具体的には、回収容器140は、箱形に形成され、後面が排水路130に連通し、前面が開放している。回収容器140の開放した前面には、開閉蓋141が開閉可能に取り付けられている。
【００４７】
なお、図示しないが、回収容器140や開閉蓋141には、メッシュ状や網目状、或いは穴状の排水溝を形成し、回収した塵芥に含まれている水分を排水できるようにしている。
（塵芥容器100の使用方法）
つぎに、上記した構成を有する塵芥容器100の使用方法について説明する。
組み立てた状態の塵芥容器100は、図示しないが、流し台の凹部にはめ込んで使用する。
【００４８】
使用時には、水は、塵芥容器100の開口121から内部に流入し、排水路130の底面の傾斜に沿って下方に向かって流れ、その途中で排水溝131を通って流れ出て、最終的には排水口22を通って排水される。
また、図示しないが、塵芥も、開口121を通って塵芥容器100内に流入し、排水路130の底面に堆積する。堆積した塵芥は、水とともに排水路130の底面の傾斜下端部に向かって押し流される。その途中で、塵芥に含まれる水が排水溝131を通って流れ出る。
【００４９】
塵芥は、排水路130の傾斜下端部から回収容器140内に押し流されて堆積する。
堆積した塵芥を廃棄するには、図示しないが、凹部から塵芥容器100を取り出し、蓋体120を開放する。つぎに、容器本体110内から、排水路130及び回収容器140を取り出す。そして、図９に二点鎖線で示すように、回収容器140の開閉蓋141を開放し、回収容器140の開放された前面から塵芥を廃棄することができる。
【００５０】
なお、塵芥容器100を凹部（図示せず）から取り出したが、取り出さずに、蓋体120を開放し、容器本体110内から排水路130及び回収容器140を取り出して、塵芥を廃棄しても良い。
【符号の説明】
【００５１】
（第１の実施の形態）
10  塵芥容器      20  流し台
21  凹部          22  排水口
30  容器本体      31  前面
32  底壁          32a  底側排水溝
33  側壁          33a  サイド側排水溝
34  後壁
35  前脚          36  後脚
40  蓋体
41  開口          42  リブ
43  ガイド片
50  開閉扉        51  支持軸
52  ばね          53  軸受部
60  操作部材
61  連結軸        62  操作部
70  隙間
（第２の実施の形態）
100  塵芥容器     110  容器本体
120  蓋体         121  開口
130  排水路       131  排水溝
140  回収容器     141  開閉蓋
【図１】
2011032728.tif 000003
【図２】
2011032728.tif 000004
【図３】
2011032728.tif 000005
【図４】
2011032728.tif 000006
【図５】
2011032728.tif 000007
【図６】
2011032728.tif 000008
【図７】
2011032728.tif 000009
【図８】
2011032728.tif 000010
【図９】
2011032728.tif 000011